(57)【特許請求の範囲】
【請求項１】
複数の合成樹脂製部分レンズを振動溶着にて一体化する車輌灯具用レンズの製造方法であって、
固定部は固定治具と可動治具を備えた挟み込み治具から成ると共に、振動部は固定治具と可動治具を備えた挟み込み治具から成るレンズ固定治具を有する振動溶着機を用い、
固定部では固定治具と可動治具によって部分レンズを挟持すると共に、振動部では固定治具と可動治具によって部分レンズを挟持する工程と、
振動部と固定部とが近接して各部分レンズの溶着部を接触させる工程と、
振動部を挟み込み治具による挟み込み方向に対して垂直な方向に振動させて部分レンズ同士を溶着一体化する工程とから成る
ことを特徴とする車輌灯具用レンズの製造方法。
【請求項２】
上記一対の挟み込み治具は、少なくとも溶着部近傍において部分レンズの設計形状にほぼ一致する面を有し、該面にて部分レンズを挟持するようにした
ことを特徴とする請求項１に記載の車輌灯具用レンズの製造方法。
【請求項３】
複数の合成樹脂製部分レンズを振動溶着にて一体化する車輌灯具用レンズの製造装置であって、
互いに離接自在に設けられた固定部及び振動部を有し、
上記固定部は固定治具と可動治具を備えた挟み込み治具から成ると共に、上記振動部は固定治具と可動治具を備えた挟み込み治具から成るレンズ固定治具を有し、
固定部では固定治具と可動治具によって部分レンズを挟持すると共に、振動部では固定治具と可動治具によって部分レンズを挟持し、振動部と固定部とを近接させて各部分レンズの溶着部を接触させ、振動部を挟み込み治具による挟み込み方向に対して垂直な方向に振動させて部分レンズ同士を溶着一体化する
ことを特徴とする車輌灯具用レンズの製造装置。
【請求項４】
上記一対の挟み込み治具は、少なくとも溶着部近傍において部分レンズの設計形状にほぼ一致する面を有し、該面にて部分レンズを挟持するようにした
ことを特徴とする請求項３に記載の車輌灯具用レンズの製造装置。
【発明の詳細な説明】
【０００１】
【発明の属する技術分野】
本発明は新規な車輌灯具用レンズの製造方法及び車輌灯具用レンズの製造装置に関する。詳しくは、複数の部分レンズを一体化して成る車輌灯具用レンズを安価に製造する技術に関する。
【０００２】
【従来の技術】
車輌灯具用レンズに複数の部分レンズを一体化した複合レンズがある。例えば、２つの色の異なる（例えば、赤色と白色）部分レンズを一体化したものがある。
【０００３】
そして、上記したような複合レンズは、従来は、いわゆる多色成形により形成するのが一般的であった。
【０００４】
【発明が解決しようとする課題】
ところで、いわゆる多色成形は、金型の精度に高いものが要求されるなど、高価な装置が必要となり、従って、それによって形成される車輌灯具用レンズも高価なものとなってしまうという問題がある。特に、少量しか生産しないものにあっては、きわめて割高なものとなってしまう。
【０００５】
そこで、本発明は、複数の部分レンズを一体化して成る車輌灯具用レンズを安価に製造することを課題とする。
【０００６】
【課題を解決するための手段】
本発明車輌灯具用レンズの製造方法は、上記した課題を解決するために、固定部は固定治具と可動治具を備えた挟み込み治具から成ると共に、振動部は固定治具と可動治具を備えた挟み込み治具から成るレンズ固定治具を有する振動溶着機を用い、固定部では固定治具と可動治具によって部分レンズを挟持すると共に、振動部では固定治具と可動治具によって部分レンズを挟持する工程と、振動部と固定部とが近接して各部分レンズの溶着部を接触させる工程と、振動部を挟み込み治具による挟み込み方向に対して垂直な方向に振動させて部分レンズ同士を溶着一体化する工程とから成るようにしたものでる。
【０００７】
従って、本発明車輌灯具用レンズの製造方法にあっては、複数の部分レンズを一体化して成る車輌灯具用レンズを安価に製造することができる。また、振動が挟み込み治具による挟み込み方向に対して垂直な方向に為されるようにしたので、溶着が効率よく為される。
【０００８】
また、本発明車輌灯具用レンズの製造装置は、上記した課題を解決するために、互いに離接自在に設けられた固定部及び振動部を有し、上記固定部は固定治具と可動治具を備えた挟み込み治具から成ると共に、上記振動部は固定治具と可動治具を備えた挟み込み治具から成るレンズ固定治具を有し、固定部では固定治具と可動治具によって部分レンズを挟持すると共に、振動部では固定治具と可動治具によって部分レンズを挟持し、振動部と固定部とを近接させて各部分レンズの溶着部を接触させ、振動部を挟み込み治具による挟み込み方向に対して垂直な方向に振動させて部分レンズ同士を溶着一体化するようにしたものである。
【０００９】
従って、本発明車輌灯具用レンズの製造装置にあっては、複数の部分レンズを一体化して成る車輌灯具用レンズを安価に製造することができる。また、振動が挟み込み治具による挟み込み方向に対して垂直な方向に為されるようにしたので、溶着が効率よく為される。
【００１０】
【発明の実施の形態】
以下に、本発明車輌灯具用レンズの製造方法及び車輌灯具用レンズの製造装置の実施の形態を添付図面を参照して説明する。なお、図示した実施の形態は、本発明を２つの部分レンズを一体化して一の車輌灯具用レンズを製造する方法及び装置に適用したものである。
【００１１】
図１及び図２に車輌灯具用レンズの製造装置１の概要を示す。なお、該製造装置１は２個の部分レンズを一体的に接合して成る車輌灯具用レンズを同時に２個製造することができるようにしたものである。
【００１２】
固定部２はシリンダー３によって上下に移動するようにされたベース４を備える。ベース４上にはレンズ固定治具である下治具５が２つ載置されている。下治具５、５はそれぞれ一対の挟み込み治具６、６、７、７によって構成されている。挟み込み治具６、６は固定治具であり、該固定治具６、６に離接自在に可動治具７、７が配設されている。固定治具６、６の背面側から後方へ延びるレール８、８が配設され、該レール８、８に可動治具７、７が前後方向に移動自在に支持されている。シリンダー９、９がレール８、８の後側に配置され、該シリンダー９、９によって可動治具７、７が前後方向に移動されるようになっている。そして、固定治具６、６と可動治具７、７の対向面にレンズ支持面６ａ、６ａ、７ａ、７ａが形成されている。これらレンズ支持面６ａ、６ａ、７ａ、７ａはここに支持される部分レンズの設計形状にほぼ一致する面となっている。なお、レンズ支持面６ａ、６ａ、７ａ、７ａの全部でなく、少なくとも溶着部側、すなわち、振動部側の端部が部分レンズの設計形状にほぼ一致する面となっていればよい。
【００１３】
振動部１０は図示しない振動機構によって左右方向に、すなわち、図１中矢印Ａ方向に振動されるようになっている。
【００１４】
振動部１０の下面にはレンズ固定治具である上治具１１が２つ支持されている。上治具１１、１１はそれぞれ一対の挟み込み治具１２、１２、１３、１３によって構成されている。挟み込み治具１２、１２は固定治具であり、該固定治具１２、１２に離接自在に可動治具１３、１３が配設されている。固定治具１２、１２は前側で、且つ、下治具５、５の固定治具６、６に対向した位置に配設され、該固定治具１２、１２の背面側にレール１４、１４によって前後方向に移動自在に可動治具１３、１３が支持されている。シリンダー１５、１５が固定治具１２、１２の側方に配置され、該シリンダー１５、１５によって可動治具１３、１３が前後方向に移動されるようになっている。そして、固定治具１２、１２と可動治具１３、１３の対向面にレンズ支持面１２ａ、１２ａ、１３ａ、１３ａが形成されている。これらレンズ支持面１２ａ、１２ａ、１３ａ、１３ａはここに支持される部分レンズの設計形状にほぼ一致する面となっている。なお、レンズ支持面１２ａ、１２ａ、１３ａ、１３ａの全部でなく、少なくとも溶着部側、すなわち、固定部側の端部が部分レンズの設計形状にほぼ一致する面となっていればよい。
【００１５】
次ぎに、上記製造装置１による車輌灯具用レンズの製造について説明する。
【００１６】
先ず、部分レンズ１６、１６を上治具１１の可動治具１３、１３のレンズ支持面１３ａ、１３ａに仮固定する。該仮固定は、例えば、適宜な位置決めピンで位置決めをした後、真空吸引によって為される。次いで、シリンダー１５、１５を駆動して可動治具１３、１３を前方、すなわち、図２中矢印Ｂ方向へ移動させ、可動治具１３、１３と固定治具１２、１２とによって部分レンズ１６、１６を挟着保持する。この時、固定治具１２、１２及び可動治具１３、１３のレンズ支持面１２ａ、１２ａ、１３ａ、１３ａは上記したように、部分レンズ１６、１６の設計形状にほぼ一致する面となっているので、部分レンズ１６、１６に多少のゆがみや変形があっても、それらゆがみや変形が矯正される。特に、溶着部１６ａ、１６ａ側において形状が矯正されることになる。
【００１７】
次ぎに、部分レンズ１７、１７を下治具５の可動治具７、７のレンズ支持面７ａ、７ａに仮固定する。この仮固定も、例えば、適宜な位置決めピンで位置決めをした後、真空吸引によって為される。次いで、シリンダー９、９を駆動して可動治具７、７を前方、すなわち、図２中矢印Ｃ方向へ移動させ、可動治具７、７と固定治具６、６とによって部分レンズ１７、１７を挟着保持する。この時、固定治具６、６及び可動治具７、７のレンズ支持面６ａ、６ａ、７ａ、７ａは上記したように、部分レンズ１７、１７の設計形状にほぼ一致する面となっているので、部分レンズ１７、１７に多少のゆがみや変形があっても、それらゆがみや変形が矯正される。特に、溶着部１７ａ、１７ａ側において形状が矯正されるので、該溶着部１７ａ、１７ａともう一つの部分レンズ１６、１６の溶着部１６ａ、１６ａとの接合が精度良く為されることになる。
【００１８】
以上のようにして、部分レンズ１６、１６及び１７、１７の上下治具１１、１１及び５、５への支持が為される。
【００１９】
そこで、シリンダー３が駆動されて固定部２が上方、すなわち、図２中矢印Ｄ方向へ移動され、部分レンズ１６、１６の溶着部１６ａ、１６ａと部分レンズ１７、１７の溶着部１７ａ、１７ａとが当接され、且つ、適度の圧力がかけられる。
【００２０】
その状態で、振動部１０が図１中矢印Ａ方向に振動され、部分レンズ１６、１６の溶着部１６ａ、１６ａと部分レンズ１７、１７の溶着部１７ａ、１７ａとが溶融、且つ、接合、すなわち、溶着される。なお、振動部１０の振動方向を挟み込み治具５、５、１１、１１による挟み込み方向（図２中矢印Ｂ方向、Ｃ方向）に対して垂直な方向（図１中矢印Ａ方向）としたので、該振動が部分レンズ１６、１６、１７、１７の厚み方向ではなく幅方向に為され、溶着が効率よく為されることになる。
【００２１】
次いで、シリンダー１５、１５を駆動して上治具１１の可動治具１３、１３を固定治具１２、１２から離間させ、部分レンズ１６、１６に対する挟持を解除する。
【００２２】
それから、シリンダー３を駆動して固定部２を下降させ、さらに、シリンダー９、９を駆動して可動治具７、７を固定治具６、６から離間させて、部分レンズ１７、１７に対する挟持を解除すると共に、部分レンズ１６、１６と部分レンズ１７、１７溶着一体化されて成る車輌灯具用レンズを取り出す。
【００２３】
上記した車輌灯具用レンズの製造方法及び車輌灯具用レンズの製造装置１によれば、複数の部分レンズを一体化した複合レンズを溶着によって形成することができるので、多色成型法によるものに比較して低コストで製造することができる。
【００２４】
なお、上記した実施の形態において示した各部の形状乃至構造は、何れも本発明を実施するに際して行う具体化のほんの一例を示したものに過ぎず、これらによって、本発明の技術的範囲が限定的に解釈されることがあってはならないものである。
【００２５】
【発明の効果】
以上に記載したところから明らかなように、本発明車輌灯具用レンズの製造方法は、複数の合成樹脂製部分レンズを振動溶着にて一体化する車輌灯具用レンズの製造方法であって、固定部は固定治具と可動治具を備えた挟み込み治具から成ると共に、振動部は固定治具と可動治具を備えた挟み込み治具から成るレンズ固定治具を有する振動溶着機を用い、固定部では固定治具と可動治具によって部分レンズを挟持すると共に、振動部では固定治具と可動治具によって部分レンズを挟持する工程と、振動部と固定部とが近接して各部分レンズの溶着部を接触させる工程と、振動部を挟み込み治具による挟み込み方向に対して垂直な方向に振動させて部分レンズ同士を溶着一体化する工程とから成ることを特徴とする。
【００２６】
従って、本発明車輌灯具用レンズの製造方法にあっては、複数の部分レンズを一体化して成る車輌灯具用レンズを安価に製造することができる。また、振動が挟み込み治具による挟み込み方向に対して垂直な方向に為されるようにしたので、溶着が効率よく為される。
【００２８】
請求項２に記載した発明にあっては、上記一対の挟み込み治具は、少なくとも溶着部近傍において部分レンズの設計形状にほぼ一致する面を有し、該面にて部分レンズを挟持するようにしたので、部分レンズに多少のゆがみや変形があっても、それらゆがみや変形が矯正される。そのために、溶着部同士の接合が精度良く為される。
【００２９】
本発明車輌灯具用レンズの製造装置は、複数の合成樹脂製部分レンズを振動溶着にて一体化する車輌灯具用レンズの製造装置であって、互いに離接自在に設けられた固定部及び振動部を有し、上記固定部は固定治具と可動治具を備えた挟み込み治具から成ると共に、上記振動部は固定治具と可動治具を備えた挟み込み治具から成るレンズ固定治具を有し、固定部では固定治具と可動治具によって部分レンズを挟持すると共に、振動部では固定治具と可動治具によって部分レンズを挟持し、振動部と固定部とを近接させて各部分レンズの溶着部を接触させ、振動部を挟み込み治具による挟み込み方向に対して垂直な方向に振動させて部分レンズ同士を溶着一体化することを特徴とする。
【００３０】
従って、本発明車輌灯具用レンズの製造装置にあっては、複数の部分レンズを一体化して成る車輌灯具用レンズを安価に製造することができる。また、振動が挟み込み治具による挟み込み方向に対して垂直な方向に為されるようにしたので、溶着が効率よく為される。
【００３２】
請求項４に記載した発明にあっては、一対の挟み込み治具が、少なくとも溶着部近傍において部分レンズの設計形状にほぼ一致する面を有し、該面にて部分レンズを挟持するようにしたので、部分レンズに多少のゆがみや変形があっても、それらゆがみや変形が矯正される。そのために、溶着部同士の接合が精度良く為される。
【図面の簡単な説明】
【図１】図２と共に本発明車輌灯具用レンズの製造装置の実施の形態を概略的に示すものであり、本図は正面図である。
【図２】側面図である。
【符号の説明】
１…車輌灯具用レンズの製造装置、２…固定部、５…下治具（レンズ固定治具）、６…固定治具（挟み込み治具）、７…可動治具（挟み込み治具）、１０…振動部、１１…上治具（レンズ固定治具）、１２…固定治具（挟み込み治具）、１３…可動治具（挟み込み治具）、１６…部分レンズ、１６ａ…溶着部、１７…部分レンズ、１７ａ…溶着部、矢印Ａ…振動部の振動方向、矢印Ｂ…挟み込み方向、矢印Ｃ…挟み込み方向
【図１】
0003710947.tif 000002
【図２】
0003710947.tif 000003